(57)【要約】【課題】解決しようとする問題点は、所定のスライド荷重を備え、かつ小型で簡単な構造を有するスライド式の保護機構を得る点である。【解決手段】本発明の電子機器は、筐体と、筐体に連結され、操作部を設けたパネルと、操作部を開放する開状態と、操作部を覆う閉状態とを形成するようにパネル面上で摺動自在に設けられたスライドドアとを有し、パネルは、スライドドアを摺動させるための開口部であるスライドドア用開口部を備え、スライドドアは、スライドドアの摺動方向と略垂直方向に延在した突起部と、突起部においてスライドドアの背面部から所定の距離だけ離れた位置に突起部の延在方向と略垂直方向に延びるように設けられた第１凸部とを備え、スライドドアの背面部と、スライドドアの第１凸部との間で、スライドドア用開口部の端部を挟むことによってスライドドアをパネルに保持することを特徴とする。【選択図】図５
2010182038.tif 000002
【特許請求の範囲】
【請求項１】
筐体と、
前記筐体に連結され、操作部を設けたパネルと、
前記操作部を開放する開状態と、前記操作部を覆う閉状態とを形成するように前記パネル面上で摺動自在に設けられたスライドドアとを有し、
前記パネルは、前記スライドドアを摺動させるための開口部であるスライドドア用開口部を備え、
前記スライドドアは、前記スライドドアの摺動方向と略垂直方向に延在した突起部と、前記突起部において前記スライドドアの背面部から所定の距離だけ離れた位置に前記突起部の延在方向と略垂直方向に延びるように設けられた第１凸部とを備え、
前記スライドドアの前記背面部と、前記スライドドアの前記第１凸部との間で、前記スライドドア用開口部の端部を挟むことによって前記スライドドアを前記パネルに保持する、
ことを特徴とする電子機器。
【請求項２】
前記スライドドア用開口部には、前記スライドドアの前記突起部を挿入するための突起挿入部をさらに備え、
前記スライドドアの前記突起部は前記挿入部を通して挿入される、請求項１に記載の電子機器。
【請求項３】
前記スライドドアを前記パネルの背面側から保持するためのドア押さえホルダをさらに有し、
前記スライドドアの前記突起部は、前記突起部において前記スライドドアの前記背面部から所定の距離だけ離れた位置に前記突起部の延在方向と略垂直方向且つ前記第１凸部とは反対方向に延びるように設けられた第２凸部をさらに備え、
前記スライドドア用開口部の端部と前記第２凸部との間に前記ドア押さえホルダのドア押さえ部を挿入する、請求項１または２に記載の電子機器。
【請求項４】
前記スライドドア用開口部の端部は、前記スライドドアのスライドスライド荷重を調節するためのスライド荷重調整用突起部をさらに備える、請求項３に記載の電子機器。
【請求項５】
前記スライドドアの摺動によって、前記突起部は前記電子機器内に設けられた前記スライドドアの開閉検知用のスイッチを動作させる、請求項１乃至４のいずれか一項に記載の電子機器。
【発明の詳細な説明】
【技術分野】
【０００１】
本発明は、電子機器に関し、特に操作部を備えたパネルにスライド機構を設けた電子機器に関する。
【背景技術】
【０００２】
電子機器を操作するうえで、電子機器の操作パネル上に存在するスイッチ類を誤って操作しないように保護機構を設けたり、パネル側に挿入したメモリカード等が衝撃等によって誤って脱出しないように保護機構を設けたりすることが好ましい場合がある。ここで、保護を施した状態と保護を施さない状態とを頻繁に切り替えるような場合において、保護機構としてスライド式開閉機構を設ける例が報告されている（例えば特許文献１）。
【０００３】
まず、従来のスライド式開閉機構を用いた電子機器について説明する。図１は、従来のスライド式開閉機構を用いた電子機器の構成概略図である。図１（ａ）は従来の電子機器の全体の斜視図であり、図1(ｂ)はスライド式開閉機構の拡大図である。
【０００４】
図1（ａ）に示すように、従来の電子機器は筐体１２０に連接して設けられたパネル１２１に、電源スイッチ１２４を保護するためのカバー１３０を備えている。図１（ｂ）に示すように、電源スイッチ１２４は、押しボタン式のスイッチであり、パネル１２１に形成されたボタン開口部１２６内に設置されている。ボタン開口部１２６の側部には、スライド用凹部１２８が形成されている。スライド用凹部１２８には、略長方形状のカバー１３０が装着されている。スライド用凹部１２８およびボタン開口部１２６は、正面側からみて長方形状に連続して形成され、これらの上下辺の縁部には、リブ１３２ａ、１３２ｂが形成されている。
【０００５】
図２に、図１（ｂ）で示した従来のスライド式開閉機構についてカバー部分を分解した斜視図を示す。図２に示すように、リブ１３２ａ，１３２ｂには、カバー１３０の裏面の上下二辺位置に形成されたスライド溝１３４ａ，１３４ｂが嵌合し、しかも摺動自在になっている。その結果、カバー１３０は、リブ１３２ａ、１３２ｂに沿って、その長手方向にスライド移動自在になっている。カバー１３０の大きさは、カバー１３０がスライド用凹部１２８の位置に位置する場合に、ボタン開口部１２６を開口し、電源スイッチ１２４を露出させる大きさに設計されている。
【０００６】
次に、このスライド式開閉機構を構成するスライド式カバーのパネルへの固定方法について説明する。図３に従来の誤操作防止装置の図２のＩＶ−ＩＶ部での断面図を示す。カバー１３０の裏面には、ネジ止め用のボス部１３６が形成してある。ボス部１３６は、図３に示すように、パネル１２１のスライド用凹部１２８に形成してあるスライド孔１３８内に差し込まれる。ボス部１３６の先端は、ワッシャ１４２を介してパネル１２１の裏側でネジ１４０に螺合される。その結果、カバー１３０が、パネル１２１に対して組み付けられる。
【０００７】
電子機器全体の大きさを小型化するためにはパネル部分での奥行き方向の大きさを小さくすることが好ましい。しかしながら、従来のスライド式カバーを用いた電子機器においては、カバー部分をネジ止めにより保持していたため、ネジの長さに相当する厚みを有するネジ受け部をカバーに設ける必要が生じ、カバー部分での奥行きを大きくとる必要があり、パネルの奥行き方向の小型化が困難であった。
【０００８】
さらに、電子機器のスライド式のカバーを操作する場合に良好な操作感覚を得るためには、ある程度の大きさのスライド荷重を付与することが好ましい。しかしながら、従来のスライド式カバーはカバーをネジ止めしていたため、所望のスライド荷重を得ることが困難であった。
【先行技術文献】
【特許文献】
【０００９】
【特許文献１】特開平６−２８３０７２
【発明の概要】
【発明が解決しようとする課題】
【００１０】
本発明は、小型で簡単な構造を有するスライド式開閉機構を備えた電子機器を提供することを目的とする。
【課題を解決するための手段】
【００１１】
本発明の電子機器は、筐体と、前記筐体に連結され、操作部を設けたパネルと、前記操作部を開放する開状態と、前記操作部を覆う閉状態とを形成するように前記パネル面上で摺動自在に設けられたスライドドアとを有し、前記パネルは、前記スライドドアを摺動させるための開口部であるスライドドア用開口部を備え、前記スライドドアは、前記スライドドアの摺動方向と略垂直方向に延在した突起部と、前記突起部において前記スライドドアの背面部から所定の距離だけ離れた位置に前記突起部の延在方向と略垂直方向に延びるように設けられた第１凸部とを備え、前記スライドドアの前記背面部と、前記スライドドアの前記第１凸部との間で、前記スライドドア用開口部の端部を挟むことによって前記スライドドアを前記パネルに保持することを特徴とする。 
【発明の効果】
【００１２】
本発明によれば、小型かつ簡単な構造を備えたスライド式開閉機構を有する電子機器を得ることができる。
【図面の簡単な説明】
【００１３】
【図１】従来のスライド式開閉機構を用いた電子機器の構成概略図である。
【図２】従来のスライド式開閉機構についてカバー部分を分解した斜視図である。
【図３】従来のスライド式開閉機構の断面図である。
【図４】本発明のスライド式開閉機構を用いたドライブレコーダ（開状態）の斜視図である。
【図５】本発明のスライド式開閉機構を用いたドライブレコーダ（閉状態）の斜視図である。
【図６】本発明のスライド式開閉機構を構成するパネル及びスライドドアの斜視図である。
【図７】本発明のパネルとスライドドアとの位置関係を示す平面図である。
【図８】本発明のパネル及びスライドドア部の開口部での断面図である。
【図９】本発明のパネル及びドア押さえホルダの斜視図である。
【図１０】本発明のパネル、スライドドア部及びドア押さえホルダの開口部での断面図である。
【図１１】本発明のパネル及びスライドドア部のスライドガイド部での断面図である。
【図１２】本発明のパネルをドライブレコーダ筐体に設置したときの断面図である。
【図１３】本発明のスライドドアとドライブレコーダ内の基板上のスイッチとの位置関係である。
【図１４】ドライブレコーダに内蔵した基板と突起部との位置関係を示す断面図である。
【発明を実施するための形態】
【００１４】
次に、本発明のスライド式開閉機構を用いた電子機器について説明する。ここでは電子機器の一例としてドライブレコーダを例に挙げて説明する。
図４は、本発明のスライド式開閉機構を用いたドライブレコーダの斜視図を示す。パネル３を正面から見たときに左右方向をＸ軸方向、上下方向をＹ軸方向、奥行き方向をＺ軸方向とする。
ドライブレコーダ１は筐体２とパネル３とを備えている。パネル前面には操作部としてメモリカード５等の外部機器を挿入するためのカード挿入部４を備えている。パネルのカード挿入部を開いた状態（開状態）と閉じた状態（閉状態）とを形成するためにパネル３上にスライドドア６を設けている。スライドドア６は、スライドドアつまみ７を操作することによって、カード挿入部を開放する開状態とカード挿入部を覆う閉状態とを形成するように、パネル面上で同図のＸ軸方向に摺動自在に設けられている。同図においては、スライドドア６のドア部６０によってカード挿入部４が覆われていない状態（開状態）を示している。パネル３にはドライブレコーダ１の動作状態を示す動作表示部９ａ〜９ｃが設けられている。さらに、後述するように、パネルの天井部にはドア押さえホルダ８の一部が現れている。また、パネル３は筐体２へパネルの側面に設けたネジ穴１０を用いてネジ（図示せず）によって固定することができるように構成されている。
【００１５】
図５は、本発明のスライド式開閉機構を用いたドライブレコーダの斜視図である。図５は図４と異なり、カード挿入部４をスライドドア６によって閉じた状態を示している。
例えば図４においてカード挿入部４にメモリカード５を挿入した後に、図５に示すようにスライドドア６をＸ軸上で摺動させてカード挿入部４をスライドドア６のドア部６０で覆うことによって、カード挿入４からメモリカード５が脱出するのを防止することができる。このような機構は、ドライブレコーダのように、ドライブレコーダを搭載した車両の衝突等によって本体に大きな衝撃が加えられることが想定される場合に特に重要な機構である。さらに、ドライブレコーダが撮影した画像をメモリカードに確実に記録するためには、スライドドアを閉じた状態にあることを確認した後にドライブレコーダを動作可能とすることが好ましい。そのため、後述するように、スライドドアと連携したスイッチをドライブレコーダ内に内蔵するようにしてもよい。
【００１６】
次に、本発明のスライド式開閉機構を用いた電子機器の構成について、さらに詳細に説明する。以下の説明では、本発明の主要部であるパネル部分に焦点を絞って説明する。
【００１７】
図６は、本発明のスライド式開閉機構を構成するパネル及びスライドドアの斜視図を示し、図７はパネルの正面方向から見た平面図を示す。図６（ａ）に示すように、パネル３とスライドドア６とは別個の部材からなっている。パネル３には、カード挿入部４が設けられ、カード挿入部４と連接してスライドガイド部１１が設けられている。スライドドア６は、カード挿入部４及びスライドガイド部１１上で摺動可能となっている。スライドガイド部１１にはスライドドア６の突起部６１を挿入するための突起挿入部１３が設けられている。スライドドアのパネルへの装着は、図６（ａ）の矢印Ａで示す方向にパネル３の前面からスライドドア６の突起部６１を挿入することにより行う。
【００１８】
さらにスライドガイド部１１には、この突起挿入部１３と連接して、スライドドア６を摺動させるための開口部であるスライドドア用開口部１２が設けられている。スライドドア６をスライドガイド部１１上で摺動させるとスライドドア６の突起部６１がスライドドア開口部１２内を移動することとなる。
【００１９】
次に、パネル及びスライドドアの構造について断面図を用いて詳細に説明する。図８（ａ）は、図６（ａ）のＶ−Ｖ部でのパネル３及びスライドドア６の断面図である。切断面には斜線を施している。
パネル３には上述したようにスライドドア６が摺動するスライドガイド部１１が設けられ、スライドガイド部１１にはスライドドア６を挿入するための突起挿入部１３が設けられている。さらに、パネル３には、後述するようにドア押さえホルダ（図示せず）と接してスライド荷重を発生させるためのスライド荷重調整用突起部１４と、ドア押さえホルダの一部を挿入してドア押さえホルダの位置決めを行うためのホルダ挿入部１６とが設けられている。
【００２０】
スライドドア６の突起部６１には第１凸部６２及び第２凸部６３が設けられている。図８（ａ）に示すように、第１凸部６２の下端から第２凸部６３の上端までのＺ軸方向の高さをｈ１とすると、突起挿入部１３のＺ軸方向の高さｈ２は、ｈ１＜ｈ２であることが好ましい。
【００２１】
次に、パネル３にスライドドア６を取り付けたときの構成について説明する。図６（ｂ）は、パネル３の突起挿入部１３にスライドドア６の突起部６１を挿入した際のパネル３の斜視図を示し、図７（ｂ）はパネル正面から見たときの平面図を示す。
【００２２】
本実施例においては突起挿入部１３をスライドガイド部１１の正面から見て左側に配置しているため、スライドドア６を突起挿入部１３に挿入した状態ではカード挿入部４の開口部４１がスライドドア６のドア部６０で覆われる。ただし、突起挿入部１３はスライドガイド部１１のどの位置に設けてもよく、中央に設けてもよいし、右端に設けてもよい。
【００２３】
次に、パネル３にスライドドア６を装着した状態の構成について断面図を用いてさらに詳細に説明する。図８（ｂ）に、図６（ｂ）のVI−VI部での断面図を示す。ここでは、スライドドア６のスライドドアつまみ７の中央付近での断面図を示している。スライドドア６の摺動方向は紙面垂直方向であり、この方向をＸ軸方向としている。また、パネルの奥行き方向をＹ軸方向、パネルの上下方向をＺ軸方向としている。
【００２４】
スライドドア６には、パネル３の突起挿入部１３に挿入可能なように、スライドドア６の背面部の略中央に、スライドドア６の摺動方向（Ｘ軸方向）と略垂直方向（Ｙ軸方向）に延在した突起部６１が設けられている。さらに、突起部６１においてスライドドアの第１背面部６ａから所定の距離ｄ１だけ離れた位置に突起部６１の延在方向（Ｙ軸方向）と略垂直方向（Ｚ軸方向）に延びるように設けられた第１凸部６２が設けられている。
【００２５】
上述のようにスライドドア６の突起部６１の第１凸部６２の下端から第２凸部６３の上端までのＹ軸方向の長さｈ１は突起挿入部１３の高さｈ２よりも小さくなるように形成されているため、突起部６１は突起挿入部１３の挿入することが可能となっている。突起部６１を図８（ａ）の矢印Ａの方向に従って突起挿入部１３に挿入した後、図８（ｂ）に示すようにスライドドアの第１背面部６ａと第１凸部６２との間隙に突起挿入部１３の下端部を嵌め込む。このようにして、スライドドア６はパネル３に保持される。
【００２６】
ここで、パネル３のスライドガイド部１１のパネル奥行き方向の厚みをｄ２とすると、ｄ１はｄ２とほぼ同等とするか、ｄ１をｄ２より小さくすることが好ましい。このような形状とすることによって、スライドドア６をパネルに嵌め込んだのち、スライドドア６をパネル３で保持することが可能となる。さらに、ｄ１をｄ２より小さくすることによって、スライドドアをパネルのスライドガイド上で摺動させる際に適度なスライド荷重を得ることができる。
【００２７】
なお、スライドドア６はパネル３に対して滑らかに摺動することが可能な材料を採用することが好ましい。そこで、スライドドア及びパネルの少なくとも一方を樹脂で構成することが好ましく、両者を共に樹脂で構成することがさらに好ましい。また、樹脂材料としてはアクリロニトリル・ブタジエン・スチレン（ＡＢＳ）やポリアセタール（ＰＯＭ）を用いることが好ましい。
【００２８】
さらにスライドドア６の突起部６１には、スライドドアの第２背面部６ｂから所定の距離ｄ３だけ離れた位置に突起部６１の延在方向（Ｙ軸方向）に対して略垂直方向（Ｚ軸方向）且つ第１凸部６２とは反対方向に延びるように設けられた第２凸部６３が設けられている。さらに、後述するように第２凸部６３にはスライド荷重が加わるので補強用の三角形状の部材である補強部６４が第２凸部６３と突起部６１と接するように設けられている。
【００２９】
次に、スライドドアをスライドドア用開口部に摺動させた場合の構成について説明する。
図７（ａ）に示すように、パネル３の突起挿入部１３とスライドドア用開口部１２とは連接しているので、スライドドア６はＸ軸方向に摺動可能となっている。図７（ｃ）に示すようにスライドドア６をスライドガイド部１１の右側端部に移動した際のＡ−Ａ部での断面図を図１１（ａ）に示す。
【００３０】
パネル３のスライドドア用開口部１２の下側に位置する第１開口端部１１ａは、スライドドア６の第１背面部６ａと第１凸部６２によって挟持される。このようにして、スライドドア６をスライドドア用開口部１２上のどの位置にあっても、スライドドア６の第１背面部６ａと、スライドドア６の第１凸部６２との間で、スライドドア用開口部１２の端部を挟むことによってスライドドア６をパネル３に保持することができる。
【００３１】
一方、パネル３のスライドドア用開口部１２の上側に位置する第２開口端部１１ｂは、スライドドア６の第２背面部６ｂと接している。このような構成とすることによって、スライドドア６の突起部６１はパネル３のスライドドア用開口部１２から脱出することなく、スライドドア用開口部１２が形成された範囲内で摺動させることができる。
【００３２】
一方、スライドドア６の突起部６１を突起挿入部１３に移動させた場合は、突起部６１は突起挿入部１３に挿入可能な位置関係にあることから、突起部６１は突起挿入部１３から抜け出る恐れもある。そこで、スライドドア６を摺動させてスライドドア６の突起部６１が突起挿入部１３に位置した場合でも突起部６１が突起挿入部１３から脱出しないように、本発明では、スライドドア６をパネル３の背面側から保持するためのドア押さえホルダを設けている。
【００３３】
図９にパネル及びパネルへ装着するドア押さえホルダの斜視図を示す。
図９（ａ）はパネル正面側から見た斜視図であり、図９（ｂ）はパネル裏面側から見た斜視図である。
図９（ａ）に示すように、ドア押さえホルダ８はパネル３とは別個の部材であり、パネル裏面側に装着した後、ネジ止め固定される。ドア押さえホルダ８は、スライドドア６の突起部６１の突起挿入部１３からの脱出を防止するためのドア押さえ部８４と、突起部６１を通すためのホルダ開口部８５とを備えている。
【００３４】
また、ドア押さえホルダ８のパネルへの装着作業の効率化を図るために、パネル天井部に切り欠き部３１を設け、この切り欠き部３１に対応した位置にドア押さえホルダ８の一部が組み合わされるようにホルダ天井部８１を備えている。このような構成とすることによって、ドア押さえホルダ８の装着時の作業自由度が高まり、パネル３の高さを抑えることができる。
【００３５】
また、ドア押さえホルダ８には、動作表示部９ａ〜９ｃを構成する部材を裏面から保持する裏面支持部８ａを一体形成してもよい。このような構成とすることによって部品点数を削減することができるとともに、作業効率を高めることができる。
【００３６】
次に、パネル３へのドア押さえホルダ８の装着手順について説明する。図１０は、図９（ａ）のVII −VII 部でのパネル、スライドドア部及びドア押さえホルダの開口部での断面図である。
【００３７】
ドア押さえホルダ８のパネル３への装着手順は、図１０（ａ）に示すように、まずドア押さえホルダ８をほぼ垂直に保ったままＹ軸方向パネル側に移動させ、ホルダ開口部８５にスライドドア６の突起部６１を通しながら、パネル３に当接させる。次に、ドア押さえホルダ８をＺ軸方向下側に移動させドア押さえホルダ８のホルダ先端部８６をホルダ３の下端部に設けたホルダ挿入部１６に挿入する。このとき、ドア押さえホルダ８のドア押さえ部８４がスライドドア６の第２凸部６３とパネル３との間隙に挿入されるようにする。次に、ネジ止め用開口部８２を介してパネル３のホルダ固定用ネジ穴１５にネジ（図示せず）を用いて固定する。
【００３８】
ドア押さえホルダ８をパネル３に装着した状態の断面図を図１０（ｂ）に示す。ドア押さえホルダ８を装着することによって、スライドドア６の突起部６１はドア押さえホルダ８のドア押さえ部８４によりＺ軸方向の移動が制限される。そのため、スライドドア６の突起部６１がパネル３の突起挿入部１３に位置する場合であっても突起部６１が突起挿入部１３から脱出するのを防止することができる。その結果、スライドドア６をパネルから脱落させずにスライドガイド１１上で摺動させることが可能となる。
【００３９】
次に、スライドドア６をスライドガイド１１上で摺動させる場合に発生するスライド荷重の付与方法について説明する。上記のようにしてドア押さえホルダ８をパネル３に装着した後に、図７（ｃ）に示すように、スライドドア６をスライドガイド１１の右端に移動させた場合のＡ−Ａでの断面図を図１１（ｂ）に示す。上記のように、スライドドア６の第２背面部６ｂと第２凸部６３との間にドア押さえホルダ８の一部であるドア押さえ部８４が配置される。さらに、スライドドア用開口部１２の上端である第２開口端部１１ｂにはドア押さえ部８４と接するようにスライド荷重調整用突起部１４が設けられている。スライド荷重調整用突起部１４は図９（ｂ）に示すように、スライドドア用開口部１２及び突起挿入部１３に沿って配置されている。
【００４０】
図１１（ｂ）に示すように、ドア押さえ部８４はスライド荷重調整用突起部１４によってＹ軸方向に押し出される結果、第２凸部６３とも接することとなる。その結果、スライドドア６をスライドガイド１１上で摺動させる際にスライド荷重を付与することができる。ここでスライド荷重の大きさはスライドドア６の第２背面部６ｂと第２凸部６３とで形成される間隙と、スライド荷重調整用突起部１４を含めたパネル３及びドア押さえ部８４の合計の厚さとの関係で決定される。スライド荷重の大きさはスライド荷重調整用突起部１４のＹ軸方向の高さｄ４を変えることによって調整することができる。即ち、ｄ４の大きさが大きいほどスライド荷重調整用突起部１４がドア押さえ部８４を押す力が大きくなり、スライドドア６の第２背面部６ｂが第２開口端部１１ｂから受ける力が大きくなる。その結果、スライドドア６をスライドガイド１１上で摺動させる場合に生じるスライド荷重が大きくなる。
【００４１】
このように、スライド荷重の調整をばね等の部材を用いることなく、スライド荷重調整用突起部１４の高さを変えることにより行うことができるで、簡単な構成で所望のスライド荷重を得ることができる。なお、スライド荷重調整用突起部１４の高さをスライドドア６の摺動方向（Ｘ軸方向）に沿って変えることによって、スライドドア６に生じるスライド荷重を変化させることもできる。例えば、スライドドア用開口部１２の両端付近でスライド荷重調整用突起部１４の高さを高くし、スライドドア用開口部１２の中央部付近でスライド荷重調整用突起部１４の高さを低くすることによって、スライドドア６を両端部に摺動させたときにスライド荷重を大きくすることができる。
【００４２】
なお、スライド荷重はスライドドア６の第１背面部６ａとスライドドア開口部１２の第１開口端部１１ａとの間でも発生させることもできる。そのため、スライドドア６を摺動する場合に生じさせるスライド荷重として、そのようなスライド荷重で十分である場合には、スライド荷重調整用突起部１４をスライド荷重調整用としてではなくドア押さえ部８４を支持する目的としてのみ利用することもできる。
【００４３】
なお、上記の説明においてスライド荷重の調整のためにスライド荷重調整用突起部１４のＸ軸上でＹ軸方向の高さｄ４を調整する場合について説明したが、ドア押さえ部８４のＹ軸方向の厚さをＸ軸上で変えてもよく、第２凸部６３の第２背面部６ｂからの位置を変えるようにしてもよい。
【００４４】
さらに、ドア押さえ部８４がスライド荷重調整用突起部１４に圧迫されて変形するのを防止するためにドア押さえ部８４に三角形状のホルダ補強部８３を設けてもよい。
【００４５】
また、スライドドア６を両端部にスライドさせた場合に、そのことをユーザに知覚させるためにクリック感を付与することが好ましい。そこで、図９（ｂ）に示すように、パネル３裏面のスライドドア用開口部１２の下側に凹部１７を設け、第１凸部６２には突起（図示せず）を設けてもよい。
【００４６】
次に、上記のようにしてドア押さえホルダ８を装着したパネル３をドライブレコーダ１の筐体２に設置する際の構成について説明する。図１２に、パネル３をドライブレコーダ１の筐体２に設置したときに図４におけるＩ−Ｉでの断面図を示す。ドア押さえホルダ８をネジ１６によってパネル３に固定した後、パネル３をドライブレコーダの筐体２に連結する。パネル３の一部には切り欠き部３１（図４参照）が形成されており、この切り欠き部３１と嵌合するようにドア押さえホルダ８にはホルダ天井部８１が形成されている。
【００４７】
このように、パネルの天井部分に切り欠きを設けることによってドア押さえホルダ８をパネル３に装着する際に、ドア押さえホルダ８がパネル３の天井部分と接触するのを防止することができるので、パネルを高さ方向に小型化することができ、ドア押さえホルダ８のパネル３への装着の作業効率を高めることができる。なお本実施例においてはドア押さえホルダ８のパネル３への固定をネジ止めにより行っているので、ネジ受け部の位置を考慮してパネル３の切り欠き部がパネル天井部の一部に形成されているが、切り欠き部の大きさはこのような構成に限定されず、ドア押さえ部８のパネル３への固定方法によりパネル３のＹ軸方向の全領域の天井部に切り欠きを設けるようにしてもよい。
【００４８】
次に、スライドドアの操作に連携したスイッチング機構について説明する。本実施例のようにドライブレコーダにおいては画像記録するためにはドライブレコーダにメモリカード等の外部記憶装置が装填されている必要がある。さらにメモリカードは車両の衝突等による衝撃が加えられてもドライブレコーダとの接続状態を維持している必要がある。
【００４９】
そこで、ドライブレコーダ動作開始時にメモリカードが装填され、且つスライドドアによって保護されていることを確認する必要がある。そのためには、スライドドアの操作と連携したスイッチング機構を設けることが好ましい。例えば、ドライブレコーダ内部にスイッチを設け、スライドドアがメモリカード挿入部を覆った状態でスイッチがオンし、そうでない場合にスイッチがオフする機構を設けるようにすればよい。
【００５０】
ドライブレコーダ内にスイッチを設けた場合のスライドドアの位置とスイッチとの位置関係について図面を用いて説明する。図１３に、ドライブレコーダの筐体のＺ軸方向からみた断面図を示す。図１３（ａ）はスライドドア６がメモリカード挿入部４を覆っていない状態を示し、図４のII−II部での断面図に相当する。図１３（ｂ）はスライドドア６がメモリカード挿入部４を覆っている状態を示し、図５のIII −III 部での断面図に相当する。
【００５１】
図１３（ａ）に示すように、ドライブレコーダ１の内部には回路基板９１が設けられており、回路基板９１上にはスイッチ９２が設けられている。スイッチ９２として例えば機械式スイッチを用いることができ、スイッチング用の端子はＹ軸方向及びＺ軸方向においてスライドドア６の突起部６１と接触可能な位置に設置されている。そのため、突起部６１がスイッチ９２と重なるような位置に移動することによってスイッチ９２を動作させることができる。スイッチ９２として光学式スイッチを用いてもよい。
【００５２】
図１３（ａ）に示すように、メモリカード５をカード挿入部４に挿入してもスライドドア６がカード挿入部４を覆っていない状態ではスイッチ９２は突起部６１と重なっていないのでスイッチはオフした状態となる。このような場合、ドライブレコーダ１の電源がオンしていれば、ドライブレコーダを動作させることなくスライドドアが開いている旨を音声やブザー等によってユーザに知らせるようにしてもよい。 例えば、カード挿入部４が開状態で電源を入れた場合、「スライドドアが開いています」と音声案内してもよい。あるいは、メモリ５に画像データを書き込んでいる場合にスライドドア６を操作した場合、「メモリに画像を書き込んでいます。メモリカードを取り出さないでください」と音声案内してもよい。
【００５３】
一方、図１３（ｂ）に示すように、メモリカード５をカード挿入部４に挿入し、スライドドア６がカード挿入部４を覆った状態においては、スイッチ９２とスライドドア６の突起部６１とが接触し、スイッチ９２がオンする。スイッチ９２がオンしていることを確認した後にドライブレコーダを動作させることによってメモリカードへの画像の記録を確実に行うことができる。
【００５４】
なお、本発明の構成によれば、スライドドアのパネルへの固定を上記のようにスライドドアと突起との間でパネルを挟む簡単な構成としているため突起部６１の長さを短くすることができる。その結果、従来技術のようにネジ止めする場合に比べて基板９１をパネル３側に接近させることができるので、ドライブレコーダの奥行き方向（Ｙ軸方向）の大きさを小さくすることができる。即ち、図１４に示すように、スライドドア６自身によってパネル３と摺動自在に保持され、かつドア押さえホルダ８のホルダ３への固定をホルダ３のホルダ挿入部１６への挿入によって行っているので、突起部６１の下部には大きな空間が形成される。その結果、突起部６１の下部に基板９１及びスイッチ９２を設けることによって基板９１をパネル側に接近させることができる。
【００５５】
本実施例においてはドライブレコーダを例にとって説明したが、本発明は他の電子機器にも適用可能である。また、本実施例においてスライド式開閉機構が保護する操作部としてメモリカード挿入部を例にとって説明したが、保護の対象となる操作部は電源スイッチ等他の操作部であってもよい。
【符号の説明】
【００５６】
１    ドライブレコーダ
２    筐体
３    パネル
４    カード挿入部
４１    カード挿入用開口部
５    メモリカード
６    スライドドア
６０    ドア部
６１    突起部
６２    第１凸部
６３    第２凸部
６４    補強部
６ａ    第１背面部
６ｂ    第２背面部
７    スライドドアつまみ
８    ドア押さえホルダ
８ａ    裏面支持部
８１    ホルダ天井部
８２    ネジ止め用開口部
８３    ホルダ補強部
８４    ドア押さえ部
８５    ホルダ開口部
８６    ホルダ先端部
９    動作表示部
１０    固定部
１１    スライドガイド部
１１ａ    第１開口端部
１１ｂ    第２開口端部
１２    スライドドア用開口部
１３    突起挿入部
１４    スライド荷重調整用突起部
１５    ホルダ固定用ネジ穴
１６    ホルダ挿入部
９１    回路基板
９２    スイッチ
【図１】
2010182038.tif 000003
【図２】
2010182038.tif 000004
【図３】
2010182038.tif 000005
【図４】
2010182038.tif 000006
【図５】
2010182038.tif 000007
【図６】
2010182038.tif 000008
【図７】
2010182038.tif 000009
【図８】
2010182038.tif 000010
【図９】
2010182038.tif 000011
【図１０】
2010182038.tif 000012
【図１１】
2010182038.tif 000013
【図１２】
2010182038.tif 000014
【図１３】
2010182038.tif 000015
【図１４】
2010182038.tif 000016